(57)【要約】【課題】  再生モードで表示部に撮影済みの画像を表示させているときにライブビュー画像を容易に確認できるようにして、所望のシーンの撮影チャンスを逃すおそれの少ない撮像装置を提供する。【解決手段】  液晶パネルなどからなる表示部（７０）を備えたビデオカメラや電子スチールカメラのような撮像装置において、撮影モードで撮像素子からのライブビュー画像（スルー画像）を表示部に表示しつつ画面の一部に既に撮影した記録画像を表示させたり表示部に再生画像を表示する再生モードの際に画面の一部にスルー画像を表示させたりすることができるようにした。【選択図】  図３
2009017255.tif 000002
【特許請求の範囲】
【請求項１】
撮像素子と、
前記撮像素子から入力される画像信号を処理し画像データを得る画像処理回路と、
前記画像処理回路により得られた画像データを不揮発的に記憶する記憶手段と、
撮影および表示のための制御を行なう制御手段と、
外部より撮影および表示のための指令を前記制御手段に与えるための操作手段と、
前記撮像素子により撮影されたライブビュー画像および前記記憶手段より読み出された再生画像を表示可能な表示手段と、を備えた撮像装置であって、
前記制御手段は、撮影モードで前記撮像素子からのライブビュー画像を前記表示手段の主画面に表示しつつ画面の一部に前記記憶手段より読み出された再生画像を表示させ、再生モードで前記記憶手段より読み出された再生画像を前記表示手段の主画面に表示しつつ画面の一部に前記撮像素子からのライブビュー画像を表示可能に構成されていることを特徴とする撮像装置。
【請求項２】
前記操作手段は、前記表示手段の主画面の表示画像に関する制御もしくは処理を指令する第１指令と、前記表示手段の一部画面の表示画像に関する制御もしくは処理を指令する第２指令を入力可能に構成され、
前記制御手段は、前記第１指令と第２指令に応じた制御もしくは処理をそれぞれ実行可能に構成されていることを特徴とする請求項１に記載の撮像装置。
【請求項３】
前記制御手段は、前記再生モードで前記第２指令に応じて撮影に関する制御もしくは処理を開始する際に、動作モードを再生モードから撮影モードに変更し、前記撮像素子からのライブビュー画像を前記表示手段の主画面に表示しつつ画面の一部に前記記憶手段より読み出された再生画像を表示させるように構成されていることを特徴とする請求項２に記載の撮像装置。
【請求項４】
撮像素子と、
前記撮像素子から入力される画像信号を処理し画像データを得る画像処理回路と、
前記画像処理回路により得られた画像データを不揮発的に記憶する記憶手段と、
撮影および表示のための制御を行なう制御手段と、
外部より撮影および表示のための指令を前記制御手段に与えるための操作手段と、
前記撮像素子により撮影されたライブビュー画像および前記記憶手段より読み出された再生画像を表示可能な表示手段と、を備えた撮像装置であって、
前記制御手段は、撮影モードで前記撮像素子からのライブビュー画像を前記表示手段の主画面に表示しつつ画面の一部に前記記憶手段より読み出された再生画像を表示させ、再生モードで前記記憶手段より読み出された再生画像を前記表示手段の主画面に表示しつつ画面の一部に前記撮像素子からのライブビュー画像を表示可能に構成され、
前記操作手段は、前記表示手段の主画面の表示画像に関する制御もしくは処理を指令する第１指令と、前記表示手段の一部画面の表示画像に関する制御もしくは処理を指令する第２指令を入力可能に構成され、
前記制御手段は、前記第１指令と第２指令に応じた制御もしくは処理をそれぞれ実行可能であり、前記再生モードで前記第２指令に応じて撮影のための制御もしくは処理を開始する際に、制御モードを再生モードから撮影モードに変更し、前記撮像素子からのライブビュー画像を前記表示手段の主画面に表示しつつ画面の一部に前記記憶手段より読み出された再生画像を表示させるように構成されていることを特徴とする撮像装置。
【発明の詳細な説明】
【技術分野】
【０００１】
本発明は、撮像素子より出力される撮像信号を処理し記録する撮像装置に関し、特に撮影しようとする画像や撮影した画像を表示する表示部を備えた撮像装置に利用して有効な技術に関するものである。
【背景技術】
【０００２】
ビデオカメラや電子スチールカメラのような撮像装置には、一般に、撮影しようとする画像や撮影した画像を表示するためカラー液晶パネルなどからなる表示部が設けられており、通常、モード切替えボタン等の操作によりＣＣＤ（チャージカップルドデバイス）などの撮像素子からの画像またはメモリに記憶されている撮影画像を択一的に表示するように構成されている。
【０００３】
また、カメラの側面もしくは背面に設けられた液晶パネルに、撮像素子からのスルー画像（ライブビュー画像）を表示しつつ、その一部分割領域に既に撮影した記録画像を表示するようにした電子カメラに関する発明が提案されている（例えば特許文献１）。さらに、本発明に類似する技術を開示する文献として例えば特許文献２，３，４がある。
【特許文献１】特開２００１−１６９１５０号公報
【特許文献２】特開２００５−２７７６３１号公報
【特許文献３】特開２００７−０５３７６０号公報
【特許文献４】特開平１１−０７５１０８号公報
【発明の開示】
【発明が解決しようとする課題】
【０００４】
特許文献１には、撮像素子からのスルー画像を表示する覗き込み型のビューファインダと背面に設けられた液晶パネルを備えた電子スチールカメラにおいて、背面液晶パネルにスルー画像を表示する撮影モードの際に画面の一部に再生画像（ＲＥＣビュー）を表示させたり、スルー画像と重ねてメニュー画像等の情報を表示させる機能を持たせるようにした発明が開示されている（図８，図１２参照）。
【０００５】
特許文献２には、カメラの背面に、スルー画像を表示させる主液晶パネルの他に複数のサムネイル画像を表示させる複数のサブ液晶パネルを設けるようにした電子スチールカメラに関する発明が開示されている（図２参照）。
【０００６】
特許文献３には、２つの表示部を設け、一方にスルー画像（リアルタイム画像）を表示させ、他方の表示部に撮影済みの保存画像を表示させたり、一方に保存画像を表示させ他方に編集画像を表示させるようにした携帯通信端末に関する発明が開示されている。
【０００７】
特許文献４には、カメラの背面に設けられている液晶パネルに、撮影済みの画像とスルー画像を交互に表示させ、２つの画像を比較しながら撮影を行うことで、パノラマ撮影画像等を容易に得ることができるようにした電子スチールカメラに関する発明が開示されている。
【０００８】
しかしながら、特許文献１〜４のいずれにも、表示部に再生画像を表示する再生モードの際に画面の一部にライブビュー（撮像素子からのスルー画像）を表示させることについては、開示されていない。そのため、再生モードで表示部に撮影済みの画像を表示させているときにライブビュー画像を確認することが困難であり、所望のシーンの撮影チャンスを逃すおそれがあるという課題がある。
【０００９】
本発明は上記のような課題に着目してなされたもので、その目的とするところは、再生モードで表示部に撮影済みの画像を表示させているときにライブビュー画像を容易に確認できるようにして、所望のシーンの撮影チャンスを逃してしまうおそれの少ない撮像装置を提供することにある。
【課題を解決するための手段】
【００１０】
上記目的を達成するため本発明は、液晶パネルなどからなる表示部を備えたビデオカメラや電子スチールカメラのような撮像装置において、撮影モードで撮像素子からのライブビュー画像（スルー画像）を表示部に表示しつつ画面の一部に既に撮影した画像を表示させたり、表示部に再生画像を表示する再生モードの際に画面の一部にライブビュー画像を表示させたりすることができるようにしたものである。
【００１１】
より具体的には、撮像素子と、前記撮像素子から入力される画像信号を処理し画像データを得る画像処理回路と、前記画像処理回路により得られた画像データを不揮発的に記憶する記憶手段と、撮影および表示のための制御を行なう制御手段と、外部より撮影および表示のための指令を前記制御手段に与えるための操作手段と、前記撮像素子により撮影されたライブビュー画像および前記記憶手段より読み出された再生画像を表示可能な表示手段と、を備えた撮像装置において、前記制御手段は、撮影モードで前記撮像素子からのライブビュー画像を前記表示手段の主画面に表示しつつ画面の一部に前記記憶手段より読み出された再生画像を表示させ、再生モードで前記記憶手段より読み出された再生画像を前記表示手段の主画面に表示しつつ画面の一部に前記撮像素子からのライブビュー画像を表示可能に構成した。
【００１２】
ここで、望ましくは、前記表示手段の主画面の表示画像に関する制御もしくは処理を指令する第１指令と、前記表示手段の一部画面（サブ画面）の表示画像に関する制御もしくは処理を指令する第２指令を入力可能に構成し、前記制御手段は、前記第１指令と第２指令に応じた制御もしくは処理をそれぞれ実行可能に構成する。これにより、主画面の表示画像に関してはもちろんサブ画面の表示画像についても操作可能になる。
【００１３】
また、望ましくは、前記制御手段は、前記再生モードで前記第２指令に応じて撮影に関する制御もしくは処理を開始する際に、動作モードを再生モードから撮影モードに変更し、前記撮像素子からのライブビュー画像を前記表示手段の主画面に表示しつつ画面の一部に前記記憶手段より読み出された再生画像を表示させるように構成する。これにより、再生モードで撮影に関する指令が入力されると主画面の表示が再生画像からライブビュー画像に自動的に切り替わるようになる。
【発明の効果】
【００１４】
本発明に従うと、画像を表示する表示部を備えた撮像装置において、ユーザーは、撮影モードで表示部にライブビュー画像を表示させているときに撮影済みの画像を確認したり、再生モードで表示部に撮影済みの画像を表示させているときにライブビュー画像を確認したりすることが容易に行なえるようになる。その結果、再生画像を表示させているときにも、所望のシーンの撮影チャンスを逃してしまうおそれの少ない撮像装置を実現することができるという効果がある。
【発明を実施するための最良の形態】
【００１５】
図１は、本発明を適用して好適な撮像装置としてのビデオカメラの構成例を示すブロック図である。
【００１６】
同図に示すビデオカメラは、ＣＣＤのような撮像素子（イメージセンサ）１０と、アナログフロントエンド部２０、デジタル画像処理を行なう画像処理部３０、装置全体の制御を行なうＣＰＵ１１０を内蔵したシステム制御部１００、フォーカス制御のためのレンズ駆動部４０、ＣＰＵ１１０に対してモードの切換えや撮影の開始などの指令を与える各種キースイッチを備えた操作部５０などによって構成されている。
【００１７】
アナログフロントエンド部２０は、撮像素子１０から入力される画素信号をノイズ除去しながらサンプリングする相関二重サンプリング（ＣＤＳ：Correlated Double Sampling）回路２１、サンプリングされた画素信号を所定のレベルまで増幅する可変利得増幅回路（プログラマブルゲインアンプ）２２、増幅されたアナログ画素信号をデジタル信号に変換するＡ／Ｄ変換回路２３、ＣＰＵ１１０から供給されるクロック信号を受けて電子シャッタ用パルスなどタイミング制御のための信号を生成するタイミング発生回路２４などから構成されている。
【００１８】
可変利得増幅回路２２は、ＣＰＵ１１０から供給される制御信号に基づいてゲインが制御される。タイミング発生回路２４は、電子シャッタ用パルスのほか、撮像素子１０に対するＣＣＤ転送パルスや読出しパルス、ＣＤＳ回路２１やＡ／Ｄ変換回路２３に対して供給するタイミング制御信号を生成する。
【００１９】
画像処理部３０は、アナログフロントエンド部２０からのデジタル画素信号を増幅するデジタルゲイン制御増幅部、デジタル画像データを生成する色信号処理部および輝度処理部等を有する。この画像処理部３０は、積和演算が可能な乗算器と加算器および除算器、演算結果を保持するレジスタ、これらの演算器を所定の順序で動作させて所望の演算結果を出力させるシーケンサなどからなるＤＳＰ（デジタルシグナルプロセッサ）のような演算回路で構成することができる。画像処理部３０は、デジタル画素信号から輝度レベル検出信号を生成してＣＰＵ１１０へ供給し、自動露光処理や自動白バランス調整、フリッカ検知などが行なわれる。
【００２０】
また、画像処理部３０には、デジタル画像データ（ＪＰＥＧ圧縮データを含む）や同期信号をチップ外部へ出力するためのデジタルＩ／Ｆ（インタフェース）や、生成されたデジタル画像信号をテレビ規格であるＮＴＳＣ（National Television System Committee）規格のビデオ信号（色信号と輝度信号）に変換して出力するＤ／Ａ変換回路などからなるＮＴＳＣ変換回路が設けられる場合がある。
【００２１】
さらに、画像処理部３０には、画像信号をＪＰＥＧエンコード（圧縮）したりデコード（伸長）したりする機能や、電子ズーム機能、画素欠陥を補正する機能、さらに解像度変換、色補正、クロマ制御、コントラスト制御などの機能が設けられることもある。
【００２２】
システム制御部１００は、ＣＰＵ１１０の他、ＣＰＵ１１０の作業領域を提供する揮発性メモリとしてのＲＡＭ（ランダムアクセスメモリ）１２０、ＣＰＵ１１０の動作プログラムや各種設定値等を格納した不揮発性メモリとしてのフラッシュメモリ１３０等を備える。そして、ＣＰＵ１１０には、撮影された画像データを記憶するフラッシュメモリのような不揮発性半導体メモリや磁気テープ、ＤＶＤディスク、ハードディスクなどの記憶メディアに対する読み出し書き込みを行う記憶手段６０、液晶パネルなどからなる表示部７０等が接続されている。
【００２３】
ＣＰＵ１１０は、画像処理部３０からの信号に基づいて、ホワイトバランス調整、フリッカ検出・キャンセル処理、オートフォーカス制御、光学ズーム制御、手ぶれ補正などの補助機能に関する演算処理や制御も行なう。また、ＣＰＵ１１０は、実行するプログラムに従って装置全体の制御を行なったり、撮像条件等を指定するセットアップのための処理を行なったりする。
【００２４】
図２は、本実施形態のビデオカメラ本体の側面に設けられている液晶パネルの画面に表示される画像の構成例を示す。図２（Ａ）は撮影モードで表示される画像、図２（Ｂ）は再生モードで表示される画像の例である。
【００２５】
撮影モードでは、図２（Ａ）のように画面全体（主画面）に大きくライブビュー画像（ＣＣＤからのスルー画像）が表示され、右下の一部（ウインドー）に再生画像がサブ画面として縮小表示される。一方、再生モードでは、図２（Ｂ）のように画面全体に大きく再生画像が表示され、右下の一部にライブビュー画像（スルー画像）がサブ画面として縮小表示される。
【００２６】
そして、カメラ本体の操作部５０に設けられているモード切替えキーを操作してモードを切り替えると、液晶パネルの画面の表示は、図２（Ａ）から（Ｂ）あるいは図２（Ｂ）から（Ａ）に切り替わるように構成されている。また、再生モード実行中に、撮影開始キーが操作されると、内部で自動的にモードが撮影モードに切り替わり、液晶パネルの画面の表示も図２（Ｂ）から（Ａ）に切り替わるように構成されている。
【００２７】
さらに、本実施形態のカメラ本体の操作部５０には、撮影に関連した撮影開始キーやポーズ（一時停止）キー、撮影停止キーと、再生に関連した再生開始キーやポーズ（一時停止）キー、再生停止キーとが設けられており、ＣＰＵ１１０は、上記キーが操作されて指令が入力されると、その指令に応じた制御や処理をそれぞれ実行するように構成されている。これにより、例えば主画面にライブビュー画像を表示している撮影モードで、再生開始キーやポーズキーを操作すると、それに応じてサブ画面の表示が変化する。つまり、主画面はもちろんのことサブ画面の表示も操作できるようになる。
【００２８】
このように、本実施形態では、撮影モードでは、主画面にライブビュー画像が表示され、サブ画面に再生画像が表示されるため、ユーザーはライブビュー画像と再生画像とを比較することで既に撮影済みのシーンとは違ったシーンを撮影することができ、同じようなシーンを何度も撮影してしまうのを回避することができる。一方、再生モードでは、主画面に再生画像が表示され、サブ画面にライブビュー画像が表示されるため、ユーザーは再生画像で撮影済みシーンを見ているときであっても、ライブビュー画像を容易に確認できるため所望のシーンの撮影チャンスを逃すおそれが少なくなる。
【００２９】
次に、本実施形態のビデオカメラにおける液晶パネルへの画像表示の処理の流れを、図３のフローチャートを用いて説明する。
【００３０】
ビデオカメラの電源が投入されて装置が起動した後の入力操作によるモード選択、あるいは起動と同時に内部記憶によるモード選択で、撮影モードが選択されると、図２（Ａ）のように、主画面ではライブビュー画像の表示が行なわれ、サブ画面では再生画像の表示が行なわれる（ステップＳ１１，Ｓ１２）。そして、これらの表示が行なわれている間、それぞれの画面の表示に対する操作（停止やポーズなど）が可能とされる。また、これらの表示処理をしている途中でユーザーがモード切替えキーを操作すると、再生モードへ移行する（ステップＳ１３）。
【００３１】
一方、起動後に再生モードが選択されると、図２（Ｂ）のように、主画面では再生画像の表示が行なわれ、サブ画面ではライブビュー画像の表示が行なわれる（ステップＳ１４，Ｓ１５）。そして、これらの表示が行なわれている間、それぞれの画面の表示に対する操作が可能とされる。また、再生モードでは、途中でユーザーがモード切替えキーを操作した場合はもちろん撮影開始キーを操作すると、撮影モードへ移行するようになっている（ステップＳ１６）。これにより、再生モードで主画面に再生画像を表示し、サブ画面にライブビュー画像を表示しているときに、例えばユーザーがサブ画面を見て撮影を希望し撮影開始指令を入力すると、主画面の表示が再生画像からライブビュー画像に自動的に切り替わり、拡大表示されたライブビュー画像を確認しながら以後の操作を行なえるようになり、使い勝手を向上させることができる。
【００３２】
以上本発明者によってなされた発明を実施形態に基づいて具体的に説明したが、本発明はそれに限定されるものではない。例えば、前記実施形態においては、主画面の右下にサブ画面を表示しているが、サブ画面の表示位置は主画面の左下、右上あるいは左上などであっても良い。
【００３３】
また、ウインドー表示させるサブ画面の表示位置をキー操作で移動したり選択できるように構成することも可能である。さらに、キー操作でサブ画面の表示自体を消すことができるようにすることも可能である。このようにサブ画面の表示位置を移動／選択可能あるいは消去可能にすることで、ユーザーが着目する画像がサブ画面で隠されて見えなくなるのを回避して、主画面による画像の確認をより正確に行うことができるようになる。
【００３４】
さらに、ユーザーがキー操作などにより、それぞれのモードで表示部の一部に再生画像やライブビュー画像などのサブ画面をウインドー表示させるかさせないかを選択できるように構成してもよい。これにより、ウインドー表示が不要な場合に、所望の画像全体を表示させることができ、ユーザーの使い勝手を向上させることができるようになる。
【産業上の利用可能性】
【００３５】
前記実施形態では、本発明を主として動画像を撮影するビデオカメラに適用した例を説明したが、本発明は、それに限定されるものではなく、静止画像を撮影する電子スチールカメラなどにも適用することができる。
【図面の簡単な説明】
【００３６】
【図１】本発明を適用して好適な撮像装置としてのビデオカメラの構成例を示すブロック図である。
【図２】実施形態のビデオカメラ本体の側面に設けられている液晶パネルの画面に表示される画像の構成例を示す画像説明図である。
【図３】実施形態のビデオカメラにおける液晶パネルへの画像表示の処理の流れを示すフローチャートである。
【符号の説明】
【００３７】
１０  撮像素子（イメージセンサ）
２０  アナログフロントエンド部
２１  相関二重サンプリング（ＣＤＳ）回路
２２  可変利得増幅回路
２３  Ａ／Ｄ変換回路
２４  タイミング発生回路
３０  画像処理部
４０  レンズ駆動部
５０  操作部
６０  記憶手段
７０  表示部
１００  システム制御部
１１０  ＣＰＵ
１２０  ＲＡＭ（ランダムアクセスメモリ）
１３０  不揮発性メモリ（フラッシュメモリ）
【図１】
2009017255.tif 000003
【図２】
2009017255.tif 000004
【図３】
2009017255.tif 000005